(57)【要約】【課題】  所定の作業を行うことにより、単に隠された情報を知ることができるだけでなく、段階的に情報を出現させることが可能なスクラッチシートを提供する。【解決手段】  スクラッチシート１０は、基材１と、基材１の一方の面に形成された情報記録層２と、情報記録層２に重ねて形成された剥離層３と、剥離層３に重ねて形成され、相対的に厚い部分である厚塗布部４ａと厚塗布部４ａより薄い薄塗布部４ｂを備えた第１の隠蔽層４と、第１の隠蔽層４に重ねて形成され、相対的に厚い部分である厚塗布部５ａと厚塗布部５ａより薄い薄塗布部５ｂを備えた第２の隠蔽層５と、を有し、第１の隠蔽層４の厚塗布部４ａに対応する位置に第２の隠蔽層５の薄塗布部５ｂが重なり、第１の隠蔽層４の薄塗布部４ｂに対応する位置に第２の隠蔽層５の厚塗布部５ａが重なることを特徴とする。【選択図】  図１
2018015921.tif 000002
【特許請求の範囲】
【請求項１】
基材と、
前記基材の一方の面に形成された情報記録層と、
前記情報記録層に重ねて形成された剥離層と、
前記剥離層に重ねて形成され、相対的に厚い部分である厚塗布部と当該厚塗布部より薄い薄塗布部を備えた第１の隠蔽層と、
前記第１の隠蔽層に重ねて形成され、相対的に厚い部分である厚塗布部と当該厚塗布部より薄い薄塗布部を備えた第２の隠蔽層と、
を有し、
前記第１の隠蔽層の厚塗布部に対応する位置に第２の隠蔽層の薄塗布部が重なり、前記第１の隠蔽層の薄塗布部に対応する位置に第２の隠蔽層の厚塗布部が重なることを特徴とするスクラッチシート。
【請求項２】
前記剥離層の厚さは、１．０μｍ〜３．５μｍであることを特徴とする請求項１に記載のスクラッチシート。
【請求項３】
前記第１の隠蔽層の厚塗布部の厚さは、３．０μｍ〜５．０μｍであり、
前記第１の隠蔽層の薄塗布部の厚さは、０．５μｍ〜１．５μｍであることを特徴とする請求項１または請求項２に記載のスクラッチシート。
【発明の詳細な説明】
【技術分野】
【０００１】
本発明は、所定の作業を行うことにより、隠蔽されていた情報を視認可能とするスクラッチシートに関する。
【背景技術】
【０００２】
従来、隠したい情報の上に隠蔽層を形成し、この隠蔽層をコイン等でスクラッチする（引っ掻く、擦る）ことにより、隠されていた情報を視認可能にするスクラッチ構造を有するシートが用いられている。このようなスクラッチ構造を有するシートは、くじ、抽選券等、情報を隠蔽しておく必要のある媒体に利用されている。出願人も、スクラッチ構造を有するシート（スクラッチシート）として、様々な形態のものを提案している（特許文献１、２参照）。
【先行技術文献】
【特許文献】
【０００３】
【特許文献１】特開２０１３−２２８５３号公報
【特許文献２】特開２０１３−９１２３３号公報
【発明の概要】
【発明が解決しようとする課題】
【０００４】
スクラッチシートは、上述のように、くじ、抽選券等に用いられることが多く、エンタテイメント性が要求されるものである。しかしながら、従来のスクラッチシートでは、隠蔽層を削ったり剥がしたり等、所定の作業を行うことにより隠された情報を出現させるだけであった。
【０００５】
そこで、本発明は、所定の作業を行うことにより、単に隠された情報を知ることができるだけでなく、段階的に情報を出現させることが可能なスクラッチシートを提供することを課題とする。
【課題を解決するための手段】
【０００６】
上記課題を解決するため、本発明第１の態様では、
基材と、
前記基材の一方の面に形成された情報記録層と、
前記情報記録層に重ねて形成された剥離層と、
前記剥離層に重ねて形成され、相対的に厚い部分である厚塗布部と当該厚塗布部より薄い薄塗布部を備えた第１の隠蔽層と、
前記第１の隠蔽層に重ねて形成され、相対的に厚い部分である厚塗布部と当該厚塗布部より薄い薄塗布部を備えた第２の隠蔽層と、
を有し、
前記第１の隠蔽層の厚塗布部に対応する位置に第２の隠蔽層の薄塗布部が重なり、前記第１の隠蔽層の薄塗布部に対応する位置に第２の隠蔽層の厚塗布部が重なることを特徴とするスクラッチシートを提供する。
【０００７】
本発明第１の態様によれば、スクラッチシートが、基材と、基材の一方の面に形成された情報記録層と、情報記録層に重ねて形成された剥離層と、剥離層に重ねて形成され、相対的に厚い部分である厚塗布部と厚塗布部より薄い薄塗布部を備えた第１の隠蔽層と、第１の隠蔽層に重ねて形成され、相対的に厚い部分である厚塗布部と厚塗布部より薄い薄塗布部を備えた第２の隠蔽層を有し、第１の隠蔽層の厚塗布部に対応する位置に第２の隠蔽層の薄塗布部が重なり、第１の隠蔽層の薄塗布部に対応する位置に第２の隠蔽層の厚塗布部が重なるようにしたので、剥離層の影響が第１の隠蔽層の薄塗布部を介して第２の隠蔽層の厚塗布部にまで及び、第２の隠蔽層の厚塗布部が、第１の隠蔽層から剥離し易くなる。このため、第２の隠蔽層の厚塗布部のみを粘着テープ等で剥がすことができ、残った第１の隠蔽層、第２の隠蔽層をコイン等で削ることにより段階的に情報を出現させることが可能となる。
【０００８】
また、本発明第２の態様では、前記スクラッチシートにおいて、前記剥離層の厚さは、１．０μｍ〜３．５μｍであることを特徴とする。
【０００９】
本発明第２の態様によれば、前記剥離層の厚さは、１．０μｍ〜３．５μｍであるので、剥離層と接する第１の隠蔽層を、粘着テープ等で剥離することが難しく、コイン等により剥離し易くなる。
【００１０】
また、本発明第３の態様では、前記スクラッチシートにおいて、前記第１の隠蔽層の厚塗布部の厚さは、３．０μｍ〜５．０μｍであり、前記第１の隠蔽層の薄塗布部の厚さは、０．５μｍ〜１．５μｍであることを特徴とする。
【００１１】
本発明第３の態様によれば、第１の隠蔽層の厚塗布部の厚さは、３．０μｍ〜５．０μｍであり、第１の隠蔽層の薄塗布部の厚さは、０．５μｍ〜１．５μｍであるので、剥離層の影響が、第１の隠蔽層の薄塗布部を介して第２の隠蔽層の厚塗布部にまで及ぶ一方、第１の隠蔽層の厚塗布部を介して第２の隠蔽層の薄塗布部に及ばないようにできる可能性が高まる。このため、第２の隠蔽層の厚塗布部のみを、第１の隠蔽層から一層剥離し易くなる。
【発明の効果】
【００１２】
本発明によれば、所定の作業を行うことにより、単に隠された情報を知ることができるだけでなく、段階的に情報を出現させることが可能となる。
【図面の簡単な説明】
【００１３】
【図１】本発明の一実施形態に係るスクラッチシートを示す図である。
【図２】粘着テープ等を利用して第２の隠蔽層５の一部を除去した状態のスクラッチシートを示す図である。
【図３】硬貨により擦られた後の状態におけるスクラッチシートを示す図である。
【図４】第１の隠蔽層４の厚塗布部の形成パターンにより得られる、第２の隠蔽層５の残留パターンの異なる例を示す図である。
【発明を実施するための形態】
【００１４】
以下、本発明の好適な実施形態について、図面を参照して詳細に説明する。
＜１．スクラッチシートの構成＞
図１は、本発明の一実施形態に係るスクラッチシートを示す図である。図１（ａ）は平面図であり、図１（ｂ）は、図１（ａ）のＡ−Ａ線に対応する断面図である。図１において、１は基材、２は情報記録層、３は剥離層、４は第１の隠蔽層、５は第２の隠蔽層、１０はスクラッチシートである。基材１は、情報記録層２、剥離層３、第１の隠蔽層４および第２の隠蔽層５を支持する支持体としての役割を果たすものであり、カードや印刷物等、目的・用途に応じた厚さ・サイズのものが用いられる。基材１の一方の面、他方の面、または両面には、別途印刷インキにより所定の情報が印刷された印刷層が形成されていてもよい。
【００１５】
隠蔽層としては、第１の隠蔽層４と第２の隠蔽層５の２層が存在し、第２の隠蔽層５が第１の隠蔽層４に重ねて形成されている。第１の隠蔽層４は、相対的に厚く塗布された厚塗布部４ａと相対的に薄く形成された薄塗布部４ｂを備えている。上面側から見ると、厚塗布部４ａは、平面形状が所定のパターンで形成されたものである。本実施形態では、第１の隠蔽層４の厚塗布部４ａは、長方形（正方形を含む意味）を格子状に配置したパターンで形成されている。また、第２の隠蔽層５は、相対的に厚く塗布された厚塗布部５ａと相対的に薄く形成された薄塗布部５ｂを備えている。第１の隠蔽層４の厚塗布部４ａに対応する位置に第２の隠蔽層５の薄塗布部５ｂが重なり、第１の隠蔽層４の薄塗布部４ｂに対応する位置に第２の隠蔽層５の厚塗布部５ａが重なっている。
【００１６】
第１の隠蔽層４と第２の隠蔽層５の色は、任意の様々な色を用いることができるが、情報記録層２を視認困難なように隠蔽可能な色とする必要がある。また、後述のように、第２の隠蔽層５の一部を粘着テープ等により剥離した際に、剥離した部分とその他の部分が明確に区別できるように、第１の隠蔽層４と第２の隠蔽層５の色は、目視で認識可能な程度に異なる色であることが好ましい。図１の例では、第２の隠蔽層５が第１の隠蔽層４の存在も隠蔽しており、第１の隠蔽層４が視認困難となっている。図１の例では、第２の隠蔽層５が第１の隠蔽層４の存在も隠蔽する場合における、第１の隠蔽層４の厚塗布部４ａの形成位置を、格子状に配置した破線の長方形の枠により示している。
【００１７】
情報記録層２は、文字、図柄等による所定の情報が記録された層である。情報記録層２は、剥離層３を介して形成された第１の隠蔽層４および第２の隠蔽層５により、視認困難なように隠蔽される。
【００１８】
剥離層３は、第１の隠蔽層４を情報記録層２から容易に剥離可能とするために形成された層である。剥離層３は、情報記録層２を覆うようにして形成されている。第１の隠蔽層４および第２の隠蔽層５は、情報記録層２を隠蔽するために形成された層である。第１の隠蔽層４および第２の隠蔽層５は、剥離層３に重ねて形成されている。したがって、第１の隠蔽層４および第２の隠蔽層５も、情報記録層２を覆うようにして形成されている。
【００１９】
第１の隠蔽層４は、情報記録層２により表現された情報を隠すための層であり、情報記録層２を覆うようにして形成されている。第１の隠蔽層４は、墨インキ等を用いて形成されている。ここで、粘着テープ等とは、例えば、セロハンテープ、ビニールテープ、ガムテープ等、粘着剤または接着剤が塗布されたテープを意味する。
【００２０】
第２の隠蔽層５は、情報記録層２により表現された情報を隠すための層であり、情報記録層２を覆うようにして形成されている。第１の隠蔽層４との目視による区別を可能とするため、第２の隠蔽層５は、銀インキ等を用いて形成されている。
【００２１】
図１（ｂ）の断面図は、スクラッチシート１０の層構成を示すものであるため、現実とは厚さの比が異なっている。現実には、スクラッチシートの幅が数十ｍｍ〜数百ｍｍであるのに対して、スクラッチシートの厚さは、数百μｍ程度である。また、図１（ｂ）においては、基材１、情報記録層２、剥離層３、第１の隠蔽層４、第２の隠蔽層５の各層の厚さを同一にして示しているが、現実には、後述するように、それぞれ異なった厚さとなっている。なお、スクラッチシートの層構成は、どちらを上層、下層としてもよいが、以下では説明の便宜上、第２の隠蔽層５側を上層、基材１側を下層として説明していく。
【００２２】
基材１としては、例えば、上質紙、アート紙、コート紙、キャストコート紙、合成樹脂又はエマルジョン含浸紙、合成ゴムラテックス含浸紙、合成樹脂内添紙、セルロース繊維紙等の紙類、ポリオレフィン（ポリエチレン、ポリプロピレンなど）、ポリスチレン、ポリカーボネート、ポリエチレンテレフタレート、ポリ塩化ビニル、ポリメタクリレート等の各種合成樹脂のプラスチックシート、また、これらの合成樹脂に白色顔料や充填剤を加えて成膜した白色不透明フィルム、あるいは基材内部に微細空隙（ミクロボイド）を有するフィルム（いわゆる合成紙）を使用することができる。
【００２３】
基材１の厚さについては、特に限定はないが、３μｍ〜３００μｍが好ましく、２０μｍ〜１７５μｍであることがより好ましい。基材１の色についても、特に限定はないが、情報記録層２に表現された情報を視認し易いように、情報記録層２と異なる色であることが好ましい。
【００２４】
情報記録層２は、上述のように、文字、図柄等による所定の情報が記録された層である。所定の情報としては、様々な情報を記録することができる。例えば、「１２３４５」のような番号を示す情報を記録しておき、スクラッチシートを抽選のための「くじ」として用いることができる。情報記録層２は、公知の印刷インキを、オフセット印刷、グラビア印刷、スクリーン印刷、インクジェット印刷、電子写真印刷等の公知の印刷方式により印刷することにより形成される。
【００２５】
剥離層３は、第１の隠蔽層４の剥離を容易にするための層である。そのため、剥離層３としては、第１の隠蔽層４が剥離層３から容易に剥離できるように、第１の隠蔽層４との接着性の低いものを使用することが好ましい。剥離層３の形成には、例えば、フッ素系樹脂、シリコーン、各種のワックスなどの離型剤を添加または共重合させたアクリル系樹脂、ビニル系樹脂、ポリエステル樹脂、繊維素系樹脂、ワックス、メラミン系樹脂等を用いることができる。また、本実施形態では、下層側の情報記録層２を視認するため、剥離層３が透明性を有していることが好ましい。また、剥離層３を形成するための塗布量・塗布厚は特に限定されないが、好ましくは、塗布厚は１．０μｍ〜３．５μｍである。剥離層３の塗布厚が１．０μｍ未満であると、コイン等による第１の隠蔽層４の剥離が困難となり、３．５μｍを超えると、粘着テープにより剥離されてしまう恐れが高まるためである。
【００２６】
第１の隠蔽層４は、コイン等で削り取ったり、接着剤（「粘着剤」も包含する意味）により剥離したりすることが可能な層であって、情報記録層２を隠蔽するための層である。第１の隠蔽層４は、隠蔽性の高いインキを印刷することにより形成される。具体的には、隠蔽性の高い顔料が、比較的多量にバインダ樹脂中に分散したものである。必要に応じて、着色の目的で、染料もしくは通常の顔料が配合されたインキであってもよい。第１の隠蔽層４は、剥離層３に重ねて形成される。
【００２７】
第１の隠蔽層４および第２の隠蔽層５を構成する隠蔽性の高い顔料としては、銀粉末、アルミニウム粉末、黄銅粉末、もしくは銅粉末等の金属系粉末、炭酸カルシウム、酸化亜鉛、アルミナ、二酸化チタン、シリカ、硫酸バリウム、タルク、カオリン、クレー、カーボンブラック、もしくは樹脂粉末等を使用することができる。また、第１の隠蔽層４および第２の隠蔽層５を構成するバインダ樹脂としては、上記の隠蔽性の高い顔料を保持するものを選択して用いる。例えば、天然ゴム、もしくは塩酸ゴム等のゴム系天然樹脂、ポリブタジエン、スチレン−ブタジエン共重合体、アクリロニトリル−ブタジエン共重合体、ポリイソプレン、ポリクロロプレン、アクリル、塩化ビニル、もしくは塩化ビニル−酢酸ビニル共重合体等を使用する。第１の隠蔽層４および第２の隠蔽層５の色については、情報記録層２の視認を困難とするものであれば、特に限定されない。
【００２８】
第１の隠蔽層４は、例えば、カーボンブラックをインキ化した墨インキなどをオフセット印刷方式、グラビア印刷方式、シルクスクリーン印刷、フレキソ印刷方式などの公知の印刷方式で形成すればよい。第１の隠蔽層４の形成は、剥離層３全体を覆うように第１層を形成し、さらに、第１層に重ねてパターン状に第２層を形成することにより行う。第１層と第２層が重なった箇所が厚塗布部４ａとなり、第１層のみの箇所が薄塗布部４ｂとなる。第１層の形成、第２層の形成ともに、上述のような公知の印刷方式で形成するが、第１層の形成と第２層の形成を同一の印刷方式で行ってもよいし、互いに異なる印刷方式で行ってもよい。
【００２９】
第１の隠蔽層４を形成するための塗布量・塗布厚は特に限定されないが、第１層の塗布厚は０．５μｍ〜１．５μｍであることが好ましく、第２層の塗布厚は２．５μｍ〜３．５μｍであることが好ましい。したがって、第１の隠蔽層４の厚塗布部４ａの塗布厚は３．０μｍ〜５．０μｍの範囲となり、第１の隠蔽層４の薄塗布部４ｂの塗布厚は０．５μｍ〜１．５μｍの範囲となる。これらの範囲を超えると、剥離層３を形成する剥離インキの剥離成分が、第１の隠蔽層４の薄塗布部４ｂを超えて適度に浸透し難く、また、第１の隠蔽層４の厚塗布部４ａを超えて影響を及ぼしてしまう等の不具合が生じることになる。
【００３０】
第２の隠蔽層５は、粘着テープ等により第１の隠蔽層４からの剥離が容易なようにするための層である。そのため、第２の隠蔽層５としては、粘着テープ等と接着し易いような接着性の高いものを使用することが好ましい。第２の隠蔽層５の形成には、上述のように、第１の隠蔽層４と同様の材料を用いることができる。ただし、粘着テープ等の密着性がより高く、第１の隠蔽層４との密着性がより低い材料を用いる必要がある。第２の隠蔽層５は、例えば、金属粉をインキ化した銀インキなどをオフセット印刷方式、グラビア印刷方式、シルクスクリーン印刷、フレキソ印刷方式などの公知の印刷方式で形成すればよい。
【００３１】
また、第２の隠蔽層５を形成するための塗布量・塗布厚は特に限定されないが、薄塗布部５ｂにおいて、好ましくは、塗布厚は２μｍ〜３μｍである。第２の隠蔽層５の上層側の面を平坦な面にするため、第１の隠蔽層４の薄塗布部４ｂに重なる部分である厚塗布部５ａにおいては、さらに、第１の隠蔽層４の第２層の厚さが加算されることになる。
【００３２】
ここで、平坦な面とは、目視において、その面に、特段の凹みや突起がなく、一様な面を成している、と認識されるものであることを意味する。したがって、微視的には、１μｍ未満の凹凸が存在するものの、目視においては、平面と認識されるような面も、「平坦な面」に含まれるものとする。より正確には、平坦な面とは、ＪＩＳ規格に定義される「表面粗さの評価方法」における、「うねり曲線」を除外した、「粗さ曲線」における、表面粗さＲａが、０．０１〜１．０μｍ（より好ましくは０．０１〜０．５０μｍ）であることをいう。しかし、本発明では、スクラッチシートとして利用する場合において、利用者が不快さを感じない程度の平坦さで足りる。
【００３３】
第２の隠蔽層５の、薄塗布部５ｂにおける厚さが、２μｍ未満であると、厚塗布部５ａとの厚さの差が大きくなり過ぎ、良好な塗布が行えない恐れが高まる。また、第２の隠蔽層５の薄塗布部５ｂにおける厚さが、３μｍを超えると、粘着テープ等に接着して、第２の隠蔽層５が全て剥離されてしまう恐れが高まる。したがって、第２の隠蔽層５の薄塗布部５ｂにおける厚さは、第１の隠蔽層４の薄塗布部４ｂの厚さより厚いことが好ましい。第２の隠蔽層５の薄塗布部５ｂにおける厚さが、第１の隠蔽層４の薄塗布部４ｂの厚さより厚いことにより、厚塗布部４ａと薄塗布部４ｂを備えた第１の隠蔽層４に重ねる場合であっても、第２の隠蔽層５が安定的に形成されるためである。
【００３４】
＜２．実施例＞
基材１として、坪量１２７．９ｇ／ｍ2の三菱製紙株式会社製のマットコート紙「SWORD iJET(登録商標)4.3マット」を使用した。
まず、通常のインクジェットインキを用いて、インクジェット印刷方式により、上記基材１上に、情報記録層２の形成を行った。本実施形態では、図３（ａ）に示すように、文字情報である「１２３４５」を形成した。
また、通常のオフセットインキを用いて、オフセット印刷方式により、所定のメッセージ（図３（ａ）の例では、「スクラッチシート」「コインで擦って下さい」「テープで剥離して下さい」等）、その他必要な絵柄等の印刷を行った。
続いて、情報記録層２を覆うように、剥離インキを印刷した。剥離インキとしては、SICPA社製「UV Flexo UV Release Varnish Fluo Blue 9R0128V」を用いた。
剥離インキの印刷は、乾燥時の厚さが３μｍになるようにフレキソ印刷方式により印刷した。この結果、情報記録層２に重なる剥離層３が形成された。この際、「コインで擦って下さい」とメッセージが印刷された箇所も覆うように、剥離インキを印刷した。
【００３５】
さらに、剥離層３に重ねて、墨インキを一様に印刷した。墨インキとしては、SICPA社製「UV Flexo Scratch-Off Black 7UG7009」を用いた。墨インキは、厚さが１μｍになるようにフレキソ印刷方式により印刷した。これが、第１の隠蔽層４の第１層に相当する部分となる。
続いて、同一の墨インキを用いて、パターン状に印刷を行った。墨インキは、厚さが３μｍになるようにフレキソ印刷方式により印刷した。これが、第１の隠蔽層４の第２層に相当する部分となる。パターン状に重ね刷りされた部分が厚さ４μｍの厚塗布部４ａとなり、パターン状に重ね刷りされなかった部分が厚さ１μｍの薄塗布部４ｂとなる。
【００３６】
さらに、墨インキに重ねて、銀インキを印刷した。銀インキとしては、SICPA社製「UV FlexoVarnish For Scratch Off Silver/Gold 880770」と「UV Silver Paste 880761」を４：１の質量比で混合したものを用いた。銀インキは、第１の隠蔽層４の厚塗布部４ａに重なる部分である薄塗布部５ｂにおいて、厚さが２μｍになり、上面が平坦な面になるように印刷した。印刷は、フレキソ印刷方式により行った。第１の隠蔽層４の薄塗布部４ｂに重なる部分である厚塗布部５ａにおいては、第１の隠蔽層４の第２層の厚さに相当する３μｍが加算されるため、厚さが５μｍとなった。銀インキが塗布された部分が、第２の隠蔽層５となる。
この結果、墨インキと銀インキの二層構成となる第１の隠蔽層４、第２の隠蔽層５が、剥離層３に重ねて形成された。
また、「コインで擦って下さい」とメッセージが印刷された箇所も覆うように、銀インキを印刷した。
これにより、図１に示したようなスクラッチシートが完成した。
第１の隠蔽層４は、カーボンブラックを含む黒色であり、第２の隠蔽層５は金属粉を含む銀色であるため、第１の隠蔽層４、第２の隠蔽層５を通して、情報記録層２に表現された情報を視認することは困難であった。
【００３７】
＜３．使用例＞
図１に示したスクラッチシート１０では、第１の隠蔽層４、第２の隠蔽層５が情報記録層２を覆って形成されている。第１の隠蔽層４は黒色であり、第２の隠蔽層５は銀色のインキであるため、情報記録層２を視認することはできない。そのため、図１（ａ）の例では、「テープで剥離して下さい」というメッセージが、第２の隠蔽層５を示す矢印とともに印刷されている。上述のように、図１（ａ）においては、第１の隠蔽層４の厚塗布部の形成位置を、格子状に配置した長方形の枠により示しているが、実際には、この格子状の枠は視認困難である。
【００３８】
図１に示したスクラッチシート１０において、「テープで剥離して下さい」というメッセージに従い、粘着テープの粘着面を第２の隠蔽層５に接触させる。第２の隠蔽層５が形成された箇所においては、粘着テープの粘着面と第２の隠蔽層５が接触することになる。そして、粘着テープをスクラッチシート１０から剥がす。
【００３９】
剥離層３を形成する剥離インキの剥離成分は、第１の隠蔽層４が薄い場合に、第１の隠蔽層４を超えて浸透し、影響を及ぼす。そのため、第１の隠蔽層４の薄塗布部４ｂと接する第２の隠蔽層５の厚塗布部５ａに剥離作用を与え、第２の隠蔽層５の厚塗布部５ａが第１の隠蔽層４の薄塗布部４ｂから剥離されることになる。剥離層３を形成する剥離インキの剥離成分は、第１の隠蔽層４が厚い場合は、第１の隠蔽層４を超えて浸透せず、影響を及ぼさない。そのため、第１の隠蔽層４の厚塗布部４ａと接する第２の隠蔽層５の薄塗布部５ｂに剥離作用を与えず、第２の隠蔽層５の薄塗布部５ｂは第１の隠蔽層４の厚塗布部４ａから剥離されない。
【００４０】
第１の隠蔽層４と第２の隠蔽層５は、いきなりコインで削ることにより除去することも可能である。しかし、コインで擦ると、第１の隠蔽層４の全てが一気に削られてしまい、情報記録層２が全て視認可能になってしまう。このため、２段階で視認状態を変化させるためには、図１（ａ）に示したようなメッセージを印刷しておき、粘着テープを用いて第２の隠蔽層５のみを剥がさせるように促すことが好ましい。
【００４１】
第２の隠蔽層５の一部（厚塗布部５ａ）を剥がすと、スクラッチシート１０は図２に示すような状態となる。図２は、粘着テープにより第２の隠蔽層５の厚塗布部５ａが剥離された後の状態におけるスクラッチシートを示す図である。図２（ａ）は、この時点におけるスクラッチシートの平面図であり、図２（ｂ）は、図２（ａ）のＢ−Ｂ線に対応する断面図である。図２（ｂ）に示すように、元のスクラッチシート１０からは、第２の隠蔽層５の厚塗布部５ａのみが剥離された状態となる。スクラッチシート１０の表面から見た場合は、図２（ａ）に示すように、第１の隠蔽層４の厚塗布部４ａの平面形状に相当するパターンを視認することが可能となる。すなわち第２の隠蔽層５の薄塗布部５ｂは、図２（ａ）に示すように、第１の隠蔽層４の厚塗布部４ａの形状である長方形を格子状に配置したパターンで残る。なお、粘着テープにより第２の隠蔽層５の厚塗布部５ａを剥離した場合、現実には、必ずしも、図２（ｂ）に示すように、段差がくっきりと表れるとは、限らない。図２（ｂ）は、理想的な状態であり、また、説明の便宜上、段差を明確に示したものである。しかし、厚塗布部５ａが断面矩形状に剥離されず、段差がくっきりと表れない場合であっても、表面から見た場合に、厚塗布部と薄塗布部によるパターンが現れれば、所定の情報が得られることになる。
【００４２】
したがって、スクラッチシート１０の表面からは、黒を背景に銀の格子状のパターンが視認されることになる。第１の隠蔽層４と第２の隠蔽層５の色が明確に異なっている程、第１の隠蔽層４の厚塗布部４ａ、第２の隠蔽層５の薄塗布部５ｂが形成するパターンがはっきりと認識されることになる。しかし、色が異なっていない場合であっても、第１の隠蔽層４と第２の隠蔽層５を形成するインキが異なっていれば、その質感や光沢の違いにより、パターンを認識することが可能となる。
【００４３】
また、「コインで擦って下さい」というメッセージの上に剥離層３が形成されているため、図２（ａ）に示すように、「コインで擦って下さい」というメッセージが表出し、第１の隠蔽層４の残存位置を示す矢印とともに視認可能となる。
【００４４】
図２に示したスクラッチシート１０において、「コインで擦って下さい」というメッセージに従い、第１の隠蔽層４と残った第２の隠蔽層５を硬貨で擦ると、第１の隠蔽層４と残っている第２の隠蔽層５が硬貨により削られる。この際、削る力が大きければ、硬貨により剥離層３も削られることもある。
【００４５】
この結果、スクラッチシート１０は、図３に示すような状態となる。図３は、硬貨により第１の隠蔽層４、第２の隠蔽層５が擦られた後の状態におけるスクラッチシートを示す図である。すなわち、図３（ｂ）に示すように、情報記録層２に重ねて剥離層３のみが残る状態となる。本実施形態では、剥離層３が、数μｍ〜数十μｍの厚さを通して視認可能な程度の透明性を有しているため、スクラッチシート１０の表面から見た場合は、文字「１２３４５」を視認することが可能となる。図３の例は、第１の隠蔽層４および第２の隠蔽層５が全て除去された状態を示しているが、もちろん、硬貨で擦る際の状態により、第１の隠蔽層４および第２の隠蔽層５が若干残る場合もある。第１の隠蔽層４および第２の隠蔽層５が若干残った場合であっても、目的とする文字「１２３４５」が十分に視認可能な状態となればよい。
【００４６】
利用者にしてみると、粘着テープで剥離することにより、第２の隠蔽層５の厚塗布部５ａを除去して、第１の隠蔽層４の厚塗布部４ａにより表現された情報（図２の例では、長方形を格子状に配置したパターン）を取得することができる。そして、第１の隠蔽層４、残った第２の隠蔽層５を硬貨等で擦ることにより、第１の隠蔽層４、第２の隠蔽層５を除去し、情報記録層２により表現された情報を取得することができる。このように、利用者は、１つのスクラッチシートで、段階的に２回楽しむことができる。
【００４７】
上記の例では、図２（ａ）に示したように、第１の隠蔽層４の厚塗布部４ａを、長方形を格子状に配置したパターンで形成した。第１の隠蔽層４の厚塗布部の形成パターンとしては、様々なものを用いることができる。図４は、第１の隠蔽層４の厚塗布部４ａを異なるパターンとした場合の視認されるパターンを示す図である。図４の例では、第１の隠蔽層４の厚塗布部４ａの形成パターンを「コイン」という文字の形状とした場合を示している。そのため、第２の隠蔽層５の薄塗布部５ｂは、図４に示したように、「コイン」という文字のパターンで残ることになる。第１の隠蔽層４の厚塗布部４ａ、第２の隠蔽層５の薄塗布部５ｂによる形成パターンを「コイン」という文字の形状とした場合、利用者は、コインで削ることを示唆している、と判断することができるため、「コインで擦って下さい」というメッセージを印刷しないようにすることもできる。
【符号の説明】
【００４８】
１・・・基材
２・・・情報記録層
３・・・剥離層
４・・・第１の隠蔽層
５・・・第２の隠蔽層
４ａ、５ａ・・・厚塗布部
４ｂ、５ｂ・・・薄塗布部
１０・・・スクラッチシート
【図１】
2018015921.tif 000003
【図２】
2018015921.tif 000004
【図３】
2018015921.tif 000005
【図４】
2018015921.tif 000006